(57)【特許請求の範囲】
【請求項１】
局部発振信号を生成する局部発振器（２０）と、
前記局部発振信号の周波数が所定の周波数領域の間で変化するように前記局部発振器を制御する制御部（２１）と、
前記局部発振信号が逓倍されたミキシング信号で被測定信号がミキシングされた規定周波数の測定対象信号のレベルを測定する測定部（３５）と、を備え、
前記制御部は、
前記被測定信号の測定目標とする目標周波数未満の周波数に対応する前記測定対象信号のレベルが前記測定部によって測定される場合には、前記被測定信号の測定周波数から前記ミキシング信号の周波数を減算した周波数が前記規定周波数となるように前記局部発振器を制御し、
前記目標周波数以上の周波数に対応する前記測定対象信号のレベルが前記測定部によって測定される場合には、前記ミキシング信号の周波数から前記被測定信号の測定周波数を減算した周波数が前記規定周波数となるように前記局部発振器を制御する信号測定装置。
【請求項２】
前記制御部は、前記被測定信号を発生する被試験対象物が使用する周波数帯域の中心周波数を前記目標周波数とする請求項１に記載の信号測定装置。
【請求項３】
前記規定周波数は、前記被試験対象物が使用する周波数帯域の幅の４分の１より大きく設定されている請求項１又は請求項２に記載の信号測定装置。
【請求項４】
被測定信号を中間周波数帯の信号に変換する周波数変換装置（２）と、
前記周波数変換装置によって前記中間周波数帯に変換された被測定信号のレベルを測定する信号測定装置（３）と、を備え、
前記信号測定装置は、局部発振信号を生成する局部発振器（２０）と、前記局部発振信号の周波数が所定の周波数領域の間で変化するように前記局部発振器を制御する制御部（２１）と、を有し、
前記周波数変換装置は、前記局部発振器によって生成された局部発振信号を逓倍する逓倍器（１２）と、前記逓倍器によって前記局部発振信号が逓倍されたミキシング信号で被測定信号をミキシングするミキサ（１４）と、を有し、
前記信号測定装置は、前記ミキサによってミキシングされた規定周波数の測定対象信号のレベルを測定する測定部（３５）を更に有し、
前記制御部は、
前記被測定信号の測定目標とする目標周波数未満の周波数に対応する前記測定対象信号のレベルが前記測定部によって測定される場合には、前記被測定信号の測定周波数から前記ミキシング信号の周波数を減算した周波数が前記規定周波数となるように前記局部発振器を制御し、
前記目標周波数以上の周波数に対応する前記測定対象信号のレベルが前記測定部によって測定される場合には、前記ミキシング信号の周波数から前記被測定信号の測定周波数を減算した周波数が前記規定周波数となるように前記局部発振器を制御する信号測定システム。
【請求項５】
局部発振信号を生成する局部発振器（２０）と、
前記局部発振信号の周波数が所定の周波数領域の間で変化するように前記局部発振器を制御する制御部（２１）と、
前記局部発振信号が逓倍されたミキシング信号で被測定信号がミキシングされた規定周波数の測定対象信号のレベルを測定する測定部（３５）と、を備えた信号測定装置（３）を用いて、
前記被測定信号の測定目標とする目標周波数未満の周波数に対応する前記測定対象信号のレベルが前記測定部によって測定される場合には、前記被測定信号の測定周波数から前記ミキシング信号の周波数を減算した周波数が前記規定周波数となるように前記制御部が前記局部発振器を制御し、
前記目標周波数以上の周波数に対応する前記測定対象信号のレベルが前記測定部によって測定される場合には、前記ミキシング信号の周波数から前記被測定信号の測定周波数を減算した周波数が前記規定周波数となるように前記制御部が前記局部発振器を制御する信号測定方法。
【発明の詳細な説明】
【技術分野】
【０００１】
本発明は、広帯域信号のレベルを周波数単位で測定する信号測定装置、信号測定システム及び信号測定方法に関する。
【背景技術】
【０００２】
従来、被測定信号を周波数掃引信号で中間周波数Ｆｉの信号に変換して測定を行う際に、設定周波数範囲の周波数に中間周波数Ｆｉを加算した周波数の掃引信号により測定データを求める第１測定過程と、設定周波数範囲の周波数から中間周波数Ｆｉを減算した周波数の掃引信号により測定データを求める第２測定過程とを実行し、第１測定過程で得られた測定データと、第２測定過程で得られた測定データとについて同一測定周波数点ごとに全て同一値のデータ及び最小値のデータを求めることにより、プリセレクタを要さずに所望信号以外を分離する技術が特許文献１に提案されている。
【先行技術文献】
【特許文献】
【０００３】
【特許文献１】特許第３７９７５５６号公報
【発明の概要】
【発明が解決しようとする課題】
【０００４】
しかしながら、上述したような従来の技術は、第１測定過程と、第２測定過程とにおいて、掃引信号による２回の測定を行わなければならないため、第１測定過程に要する実行時間と第２測定過程に要する実行時間とによる時刻の経過にともなって特性が変化してしまう信号を正確に測定できないといった課題があった。
【０００５】
本発明は、このような課題を解決するためになされたもので、時刻の経過にともなって特性が変化する信号であっても正確に測定することができる信号測定装置、信号測定システム及び信号測定方法を提供することを目的とする。
【課題を解決するための手段】
【０００６】
本発明の信号測定装置は、局部発振信号を生成する局部発振器（２０）と、前記局部発振信号の周波数が所定の周波数領域の間で変化するように前記局部発振器を制御する制御部（２１）と、前記局部発振信号が逓倍されたミキシング信号で被測定信号がミキシングされた規定周波数の測定対象信号のレベルを測定する測定部（３５）と、を備え、前記制御部は、前記被測定信号の測定目標とする目標周波数未満の周波数に対応する前記測定対象信号のレベルが前記測定部によって測定される場合には、前記被測定信号の測定周波数から前記ミキシング信号の周波数を減算した周波数が前記規定周波数となるように前記局部発振器を制御し、前記目標周波数以上の周波数に対応する前記測定対象信号のレベルが前記測定部によって測定される場合には、前記ミキシング信号の周波数から前記被測定信号の測定周波数を減算した周波数が前記規定周波数となるように前記局部発振器を制御する構成を有している。
【０００７】
この構成により、本発明の信号測定装置は、目標周波数未満の周波数に対応する測定対象信号のレベルを測定する場合には、被測定信号の測定周波数からミキシング信号の周波数を減算した周波数が規定周波数となるように局部発振信号を生成するため、被測定信号の目標周波数成分のイメージ信号を測定周波数未満の周波数領域に生じさせる。
【０００８】
また、本発明の信号測定装置は、目標周波数以上の周波数に対応する測定対象信号のレベルを測定する場合には、ミキシング信号の周波数から被測定信号の測定周波数を減算した周波数が規定周波数となるように局部発振信号を生成するため、被測定信号の目標周波数成分のイメージ信号を測定周波数以上の周波数領域に生じさせる。
【０００９】
このように、本発明の信号測定装置は、被測定信号の目標周波数成分のイメージ信号の周波数帯が被測定信号の測定周波数に含まれないように局部発振信号の周波数を制御することにより、測定周波数にイメージ信号を生じさせないため、時刻の経過にともなって特性が変化する信号であっても正確に測定することができる。
【００１０】
なお、前記制御部は、前記被測定信号を発生する被試験対象物が使用する周波数帯域の中心周波数を前記目標周波数とするようにしてもよい。
【００１１】
また、前記規定周波数は、前記被試験対象物が使用する周波数帯域の幅の４分の１より大きく設定されていてもよい。
【００１２】
この構成により、本発明の信号測定装置は、被試験対象物が使用する周波数帯域内に、被試験対象物が使用する周波数帯域内の周波数成分のイメージ信号が生じてしまうことを防止することができる。
【００１３】
本発明の信号測定システムは、被測定信号を中間周波数帯の信号に変換する周波数変換装置（２）と、前記周波数変換装置によって前記中間周波数帯に変換された被測定信号のレベルを測定する信号測定装置（３）と、を備え、前記信号測定装置は、局部発振信号を生成する局部発振器（２０）と、前記局部発振信号の周波数が所定の周波数領域の間で変化するように前記局部発振器を制御する制御部（２１）と、を有し、前記周波数変換装置は、前記局部発振器によって生成された局部発振信号を逓倍する逓倍器（１２）と、前記逓倍器によって前記局部発振信号が逓倍されたミキシング信号で被測定信号をミキシングするミキサ（１４）と、を有し、前記信号測定装置は、前記ミキサによってミキシングされた規定周波数の測定対象信号のレベルを測定する測定部（３５）を更に有し、前記制御部は、前記被測定信号の測定目標とする目標周波数未満の周波数に対応する前記測定対象信号のレベルが前記測定部によって測定される場合には、前記被測定信号の測定周波数から前記ミキシング信号の周波数を減算した周波数が前記規定周波数となるように前記局部発振器を制御し、前記目標周波数以上の周波数に対応する前記測定対象信号のレベルが前記測定部によって測定される場合には、前記ミキシング信号の周波数から前記被測定信号の測定周波数を減算した周波数が前記規定周波数となるように前記局部発振器を制御する構成を有している。
【００１４】
この構成により、本発明の信号測定システムは、目標周波数未満の周波数に対応する測定対象信号のレベルを測定する場合には、被測定信号の測定周波数からミキシング信号の周波数を減算した周波数が規定周波数となるように局部発振信号を生成するため、被測定信号の目標周波数成分のイメージ信号を測定周波数未満の周波数領域に生じさせる。
【００１５】
また、本発明の信号測定システムは、目標周波数以上の周波数に対応する測定対象信号のレベルを測定する場合には、ミキシング信号の周波数から被測定信号の測定周波数を減算した周波数が規定周波数となるように局部発振信号を生成するため、被測定信号の目標周波数成分のイメージ信号を測定周波数以上の周波数領域に生じさせる。
【００１６】
このように、本発明の信号測定システムは、被測定信号の目標周波数成分のイメージ信号の周波数帯が被測定信号の測定周波数に含まれないように局部発振信号の周波数を制御することにより、測定周波数にイメージ信号を生じさせないため、時刻の経過にともなって特性が変化する信号であっても正確に測定することができる。
【００１７】
本発明の信号測定方法は、局部発振信号を生成する局部発振器（２０）と、前記局部発振信号の周波数が所定の周波数領域の間で変化するように前記局部発振器を制御する制御部（２１）と、前記局部発振信号が逓倍されたミキシング信号で被測定信号がミキシングされた規定周波数の測定対象信号のレベルを測定する測定部（３５）と、を備えた信号測定装置（３）を用いて、前記被測定信号の測定目標とする目標周波数未満の周波数に対応する前記測定対象信号のレベルが前記測定部によって測定される場合には、前記被測定信号の測定周波数から前記ミキシング信号の周波数を減算した周波数が前記規定周波数となるように前記制御部が前記局部発振器を制御し、前記目標周波数以上の周波数に対応する前記測定対象信号のレベルが前記測定部によって測定される場合には、前記ミキシング信号の周波数から前記被測定信号の測定周波数を減算した周波数が前記規定周波数となるように前記制御部が前記局部発振器を制御する。
【００１８】
したがって、本発明の信号測定方法は、目標周波数未満の周波数に対応する測定対象信号のレベルを測定する場合には、被測定信号の測定周波数からミキシング信号の周波数を減算した周波数が規定周波数となるように局部発振信号を生成するため、被測定信号の目標周波数成分のイメージ信号を測定周波数未満の周波数領域に生じさせる。
【００１９】
また、本発明の信号測定方法は、目標周波数以上の周波数に対応する測定対象信号のレベルを測定する場合には、ミキシング信号の周波数から被測定信号の測定周波数を減算した周波数が規定周波数となるように局部発振信号を生成するため、被測定信号の目標周波数成分のイメージ信号を測定周波数以上の周波数領域に生じさせる。
【００２０】
このように、本発明の信号測定方法は、被測定信号の目標周波数成分のイメージ信号の周波数帯が被測定信号の測定周波数に含まれないように局部発振信号の周波数を制御することにより、測定周波数にイメージ信号を生じさせないため、時刻の経過にともなって特性が変化する信号であっても正確に測定することができる。
【発明の効果】
【００２１】
本発明によれば、イメージ信号が生じない条件で測定することが可能となる。その結果として、本発明は、イメージ信号を分離するために２回掃引していたために特許文献１に提案された技術の課題となっていた時刻の経過にともなって特性が変化する信号であっても測定することができる信号測定装置、信号測定システム及び信号測定方法を提供することができる。
【図面の簡単な説明】
【００２２】
【図１】図１は、本発明の実施の形態に係る信号測定システムのブロック図である。
【図２】図２は、本発明の実施の形態に係る信号測定装置による局部発振信号の制御を説明するための第１の概念図である。
【図３】図３は、本発明の実施の形態に係る信号測定装置による局部発振信号の制御を説明するための第２の概念図である。
【図４】図４は、本発明の実施の形態に係る信号測定装置に設定される規定周波数の条件を説明するための第１の概念図である。
【図５】図５は、本発明の実施の形態に係る信号測定装置に設定される規定周波数の条件を説明するための第２の概念図である。
【図６】図６は、本発明の実施の形態に係る信号測定装置による局部発振信号制御動作を示すフローチャートである。
【発明を実施するための形態】
【００２３】
以下、本発明の実施の形態について、図面を参照して説明する。
【００２４】
図１に示すように、信号測定システム１は、被測定信号を中間周波数帯の信号に変換する周波数変換装置２と、周波数変換装置２によって中間周波数帯に変換された被測定信号のレベルを測定する信号測定装置３とを備えている。
【００２５】
周波数変換装置２は、信号測定装置３から入力された局部発振信号のオフセットを除去するＨＰＦ（High-pass Filter）１０と、ＨＰＦ１０を通過した局部発振信号を増幅するアンプ１１と、アンプ１１によって増幅された局部発振信号を逓倍する逓倍器１２と、局部発振信号が逓倍されたミキシング信号の特定の周波数帯域成分を通過させるＢＰＦ（Band-pass Filter）１３と、ＢＰＦ１３を通過したミキシング信号で被測定信号をミキシングするミキサ１４と、ミキサ１４によってミキシングされた測定用信号を増幅するアンプ１５と、アンプ１５によって増幅された測定用信号から高周波成分を除去するＬＰＦ（Low-pass Filter）１６と、を含んで構成される。
【００２６】
本実施の形態において、逓倍器１２は、局部発振信号の周波数を１０倍にするものとして説明するが、設計により適宜変更してもよい。ＢＰＦ１３は、被測定信号を生成する被試験対象物に応じた周波数帯域を通過させるように係数が設定されている。
【００２７】
なお、本実施の形態においては、被測定信号が導波管を通して周波数変換装置２に受信されるものとして説明するが、被測定信号が同軸ケーブルなどの他の媒体を通して周波数変換装置２に受信される場合には、ＢＰＦ１３の係数を信号測定装置３側から設定することができるようにしてもよい。
【００２８】
ＬＰＦ１６を通過した測定用信号は、信号測定装置３に出力される。本実施の形態において、ミキサ１４によってミキシングされる被測定信号の周波数帯域は、ミリ波帯のＥ−ｂａｎｄである６０〜９０ＧＨｚとする。
【００２９】
また、ミキサ１４からは、規定周波数として２ＧＨｚの測定用信号が出力されることとする。したがって、ＢＰＦ１３は、Ｅ−ｂａｎｄの被測定信号の全帯域を測定対象とする場合には、５８〜９２ＧＨｚの周波数成分を通過させるように設定されている。
【００３０】
信号測定装置３は、局部発振信号を生成する局部発振器２０と、局部発振信号の周波数が所定の周波数領域の間で変化するように局部発振器２０を制御する制御部２１と、局部発振信号のオフセットを除去するＨＰＦ２２とを含んで構成され、ＨＰＦ２２を通過した局部発振信号を周波数変換装置２に出力するようになっている。
【００３１】
制御部２１は、例えば、コンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置などの不揮発性の記憶媒体と、各種入出力ポートとを有する。
【００３２】
このコンピュータ装置のＲＯＭ及びハードディスク装置には、コンピュータ装置を制御部２１として機能させるためのプログラムが格納されている。すなわち、ＣＰＵがＲＡＭを作業領域としてＲＯＭに格納されたプログラムを実行することにより、当該コンピュータ装置は、制御部２１として機能する。
【００３３】
制御部２１には、被測定信号の測定帯域、被測定信号の測定目標とする目標周波数、及び、表示用の各種設定値などの各種パラメータ、並びに、試験の開始及び終了などを指示するコマンドなどを入力するための操作部２３が設けられている。
【００３４】
制御部２１は、例えば、Ｅ−ｂａｎｄの被測定信号の全帯域を測定対象とする場合には、ミキシング信号の周波数領域である５８〜９２ＧＨｚのうち、所定の周波数領域（例えば、操作部２３などを介して設定された周波数領域）にわたって、所定の周波数間隔（例えば、操作部２３を介して設定された周波数間隔）で局部発振信号の周波数が変化するように局部発振器２０を制御するようになっている。
【００３５】
本実施の形態は、ミキシング信号として、局部発振器２０によって生成された局部発振信号の周波数が逓倍器１２によって１０倍にされた信号を用いるため、制御部２１は、局部発振器２０によって生成された局部発振信号の周波数が５．８〜９．２ＧＨｚの間で変化するように局部発振器２０を制御するようになっている。
【００３６】
信号測定装置３は、周波数変換装置２から入力された測定用信号からノイズ成分を除去するＬＰＦ３０と、測定用信号を周波数変換するための局部発振信号を生成する局部発振器３１と、局部発振器３１によって生成された局部発振信号で測定用信号をミキシングするミキサ３２と、ミキサ３２によってミキシングされた信号から測定対象信号を抽出するＢＰＦ３３と、ＢＰＦ３３を通過した測定対象信号をデジタル信号に変換するＡ／Ｄ（Analog to Digital）コンバータ３４と、デジタル信号に変換された測定対象信号のレベルを測定する測定部３５と、測定部３５による測定結果を表示するための表示部３６とを更に含んで構成される。
【００３７】
本実施の形態において、２ＧＨｚの測定用信号をミキサ３２によって０．１ＧＨｚの測定対象信号に変換するために、局部発振器３１は、０．９ＧＨｚの局部発振信号を生成するようになっている。
【００３８】
したがって、ＢＰＦ３３は、０．１ＧＨｚ帯の測定対象信号を通過させるように係数が設定されている。測定部３５は、例えば、制御部２１を構成するＣＰＵによって構成され、制御部２１による制御に応じて、測定対象信号のレベルを測定するようになっている。
【００３９】
制御部２１には、表示部３６の表示に関する制御を行う表示制御部３７が設けられている。例えば、制御部２１は、表示部３６に測定結果画面を表示させるように、表示制御部３７を制御するようになっている。表示制御部３７は、例えば、制御部２１を構成するＣＰＵ及びビデオカードによって構成される。
【００４０】
制御部２１は、目標周波数未満の周波数に対応する測定対象信号のレベルが測定部３５によって測定される場合には、被測定信号の測定周波数からミキシング信号の周波数を減算した周波数が規定周波数となるように局部発振器２０を制御するようになっている。
【００４１】
また、制御部２１は、目標周波数以上の周波数に対応する測定対象信号のレベルが測定部３５によって測定される場合には、ミキシング信号の周波数から被測定信号の測定周波数を減算した周波数が規定周波数となるように局部発振器２０を制御するようになっている。
【００４２】
本実施の形態において、制御部２１は、被測定信号を発生する被試験対象物が使用する周波数帯域の中心周波数を目標周波数とする。なお、制御部２１は、被測定信号を発生する被試験対象物が使用する周波数帯域内であれば、最低周波数を目標周波数としてもよく、最高周波数を目標周波数としてもよい。
【００４３】
以下の説明においては、目標周波数を８０ＧＨｚとする。すなわち、本実施の形態は、８０ＧＨｚを中心周波数とする周波数帯を使用する被試験対象物によって送出された被試験信号のレベルを周波数単位で測定する。
【００４４】
図２に示すように、制御部２１は、例えば、被測定信号の７６ＧＨｚの周波数成分のレベルを測定する場合には、ミキシング信号の周波数が７４ＧＨｚ又は７８ＧＨｚとなるように局部発振器２０を制御する。
【００４５】
ここで、ミキシング信号の周波数が７８ＧＨｚとなるように制御部２１が局部発振器２０を制御すると、測定周波数である７６ＧＨｚに被測定信号の目標周波数成分のイメージ信号Ｓｉｕが生じてしまう。
【００４６】
この場合には、ミキシング信号の周波数が７４ＧＨｚとなるように制御部２１が局部発振器２０を制御することにより、イメージ信号の周波数を６８ＧＨｚとすることで、被測定信号の７６ＧＨｚの周波数成分のレベルを測定するときのイメージ信号及びイメージ信号に伴うスプリアスの影響が測定結果に及ぶことを回避することができる。
【００４７】
このように、制御部２１は、目標周波数８０ＧＨｚ未満の７６ＧＨｚに対応する測定対象信号のレベルを測定する場合には、ミキシング信号の周波数が７４ＧＨｚ（＝測定周波数７６ＧＨｚ−規定周波数２ＧＨｚ）となるように局部発振器２０に局部発振信号を生成させることにより、目標周波数帯である８０ＧＨｚ帯の信号に対するイメージ信号Ｓｉｌを測定周波数未満の６８ＧＨｚ帯に生じさせる。
【００４８】
図３に示すように、制御部２１は、例えば、被測定信号の８４ＧＨｚの周波数成分のレベルを測定する場合には、ミキシング信号の周波数が８２ＧＨｚ又は８６ＧＨｚとなるように局部発振器２０を制御する。
【００４９】
ここで、ミキシング信号の周波数が８２ＧＨｚとなるように制御部２１が局部発振器２０を制御すると、測定周波数である８４ＧＨｚに被測定信号の目標周波数成分のイメージ信号Ｓｉｌが生じてしまう。
【００５０】
この場合には、ミキシング信号の周波数が８６ＧＨｚとなるように制御部２１が局部発振器２０を制御することにより、イメージ信号の周波数を９２ＧＨｚとすることで、被測定信号の８４ＧＨｚの周波数成分のレベルを測定するときのイメージ信号及びイメージ信号に伴うスプリアスの影響が測定結果に及ぶことを回避することができる。
【００５１】
このように、制御部２１は、目標周波数８０ＧＨｚ以上の８４ＧＨｚに対応する測定対象信号のレベルを測定する場合には、ミキシング信号の周波数が８６ＧＨｚ（＝測定周波数８４ＧＨｚ＋規定周波数２ＧＨｚ）となるように局部発振器２０に局部発振信号を生成させることにより、目標周波数帯である８０ＧＨｚ帯の信号に対するイメージ信号Ｓｉｕを測定周波数以上の９２ＧＨｚ帯に生じさせる。
【００５２】
本実施の形態において、規定周波数を２ＧＨｚとして説明したが、規定周波数は、被試験対象物が使用する周波数帯域の幅の４分の１より大きく設定される。以下、被試験対象物が使用する周波数帯域Ｆｂの幅をＢＷとし、規定周波数をＩＦとし、被試験対象物が使用する周波数帯域Ｆｂのイメージ信号が発生する帯域をＦｂｉｌ、Ｆｂｉｈとして説明する。
【００５３】
図４に示すように、規定周波数ＩＦが幅ＢＷに対して相対的に低い状態では、被試験対象物が使用する周波数帯域Ｆｂ内に、被試験対象物が使用する周波数帯域Ｆｂ内の周波数成分のイメージ信号が生じてしまう。
【００５４】
図４に示す状態においては、周波数帯域Ｆｂと、イメージ信号の帯域Ｆｂｉｌ、Ｆｂｉｈとの間に目標周波数Ｆｃを超えた重なりＯｌｌ、Ｏｌｈが生じてしまう。この重なりＯｌｌ、Ｏｌｈに相当する部分に含まれる周波数を測定周波数とすると、被試験対象物が使用する周波数帯域Ｆｂ内の周波数成分のイメージ信号が測定周波数の信号に影響を及ぼしてしまう。
【００５５】
周波数帯域Ｆｂと、帯域Ｆｂｉｌ、Ｆｂｉｈとの間に目標周波数Ｆｃを超えた重なりＯｌｌ、Ｏｌｈを生じさせないためには、（ＩＦ×２）−（ＢＷ／２）＞０、すなわち、ＩＦ＞ＢＷ／４を満たす必要がある。
【００５６】
この条件を満たすように規定周波数を設定することにより、図５に示すように、被試験対象物が使用する周波数帯域Ｆｂ内に、被試験対象物が使用する周波数帯域Ｆｂ内の周波数成分のイメージ信号が生じてしまうことを防止することができる。
【００５７】
以上のように構成された本発明の実施の形態に係る信号測定装置３による局部発振信号制御動作について図６を参照して説明する。なお、以下に説明する局部発振信号制御動作は、各測定周波数における測定が行われるたびに実行される。
【００５８】
まず、制御部２１は、目標周波数未満の周波数に対応する測定対象信号のレベルが測定部３５によって測定されるか否かを判断する（ステップＳ１）。ここで、目標周波数未満の周波数に対応する測定対象信号のレベルが測定部３５によって測定されると判断した場合には、制御部２１は、被測定信号の測定周波数からミキシング信号の周波数を減算した周波数が規定周波数となるように局部発振器２０を制御し（ステップＳ２）、当測定周波数に対する局部発振信号制御動作を終了する。
【００５９】
一方、目標周波数未満の周波数に対応する測定対象信号のレベルが測定部３５によって測定されない、すなわち、目標周波数以上の周波数に対応する測定対象信号のレベルが測定部３５によって測定されると判断した場合には、制御部２１は、ミキシング信号の周波数から被測定信号の測定周波数を減算した周波数が規定周波数となるように局部発振器２０を制御し（ステップＳ３）、当測定周波数に対する局部発振信号制御動作を終了する。
【００６０】
以上より、本実施の形態における信号測定方法は、信号測定装置３を用いて、被測定信号の測定目標とする目標周波数未満の周波数に対応する測定対象信号のレベルが測定部３５によって測定される場合には、被測定信号の測定周波数からミキシング信号の周波数を減算した周波数が規定周波数となるように制御部２１が局部発振器２０を制御し、目標周波数以上の周波数に対応する測定対象信号のレベルが測定部３５によって測定される場合には、ミキシング信号の周波数から被測定信号の測定周波数を減算した周波数が規定周波数となるように制御部２１が局部発振器２０を制御する。
【００６１】
以上に説明したように、本実施の形態は、目標周波数未満の周波数に対応する測定対象信号のレベルを測定する場合には、被測定信号の測定周波数からミキシング信号の周波数を減算した周波数が規定周波数となるように局部発振信号を生成するため、被測定信号の目標周波数成分のイメージ信号を測定周波数未満の周波数領域に生じさせる。
【００６２】
また、本実施の形態は、目標周波数以上の周波数に対応する測定対象信号のレベルを測定する場合には、ミキシング信号の周波数から被測定信号の測定周波数を減算した周波数が規定周波数となるように局部発振信号を生成するため、被測定信号の目標周波数成分のイメージ信号を測定周波数以上の周波数領域に生じさせる。
【００６３】
このように、本実施の形態は、被測定信号の目標周波数成分のイメージ信号の周波数帯が被測定信号の測定周波数に含まれないように局部発振信号の周波数を制御することにより、測定周波数にイメージ信号を生じさせないため、時刻の経過にともなって特性が変化する信号であっても正確に測定することができる。
【００６４】
また、本実施の形態は、局部発振信号を掃引信号とした２回の測定を行う必要がなくなるため、従来の技術と比較して、測定にかかる時間を短縮することができる。更に、本実施の形態は、従来の技術と比較して、測定にかかる時間を短縮することができるため、同じ測定時間内で測定できる周波数を増やすことができ、測定結果の周波数の分解能を高くすることができる。
【００６５】
以上、本発明の実施の形態を開示したが、当業者によっては本発明の範囲を逸脱することなく変更が加えられうることは明白である。すべてのこのような修正及び等価物が特許請求の範囲に記載された請求項に含まれることが意図されている。
【符号の説明】
【００６６】
１  信号測定システム
２  周波数変換装置
３  信号測定装置
１２  逓倍器
１４  ミキサ
２０  局部発振器
２１  制御部
３５  測定部
【要約】
【課題】イメージ信号を分離することなく測定することができる信号測定装置、信号測定システム及び信号測定方法を提供する。
【解決手段】制御部は、被測定信号の測定目標とする目標周波数未満の周波数に対応する測定対象信号のレベルが測定部によって測定される場合には、被測定信号の測定周波数からミキシング信号の周波数を減算した周波数が規定周波数となるように局部発振器を制御し（ステップＳ２）、目標周波数以上の周波数に対応する測定対象信号のレベルが測定部によって測定される場合には、ミキシング信号の周波数から被測定信号の測定周波数を減算した周波数が規定周波数となるように局部発振器を制御する（ステップＳ３）。
【選択図】図６【図１】
0005945615.tif 000002
【図２】
0005945615.tif 000003
【図３】
0005945615.tif 000004
【図４】
0005945615.tif 000005
【図５】
0005945615.tif 000006
【図６】
0005945615.tif 000007